(57)【要約】      （修正有）【課題】  大きなスロッシングが発生しても、浮屋根の浮力を確実に確保し、浮屋根が沈下するといった不具合を防止することができる浮屋根式貯蔵タンクの提供を目的とする。【解決手段】  液体を貯蔵するタンク本体と、このタンク本体に収納され、タンク本体内に貯蔵された液体上に浮上するポンツーン３を外周部に有する浮屋根１２０とを備えた浮屋根式貯蔵タンクにおいて、ポンツーン３の内部に、気体６１を密封した袋状部材６２からなる、一又は二以上の浮き６を設けた構成としてある。【選択図】      図１
2006143291.tif 000002
【特許請求の範囲】
【請求項１】
液体を貯蔵するタンク本体と、このタンク本体に収納され、該タンク本体内に貯蔵された前記液体上に浮上するポンツーンを外周部に有する浮屋根とを備えた浮屋根式貯蔵タンクにおいて、
前記ポンツーンの内部及び／又は前記浮屋根の下部に、一又は二以上の浮きを設けたことを特徴とする浮屋根式貯蔵タンク。
【請求項２】
前記浮きを、気体を密封した袋状部材の浮き，空隙を有する軽量部材の浮き，及び／又は，密閉部材により密閉されるとともに、空隙を有する軽量部材の浮きとしたことを特徴とする請求項１記載の浮屋根式貯蔵タンク。
【請求項３】
前記袋状部材の材料を、ゴム又は樹脂からなる基材と補強材とを有する複合材料としたことを特徴とする請求項２記載の浮屋根式貯蔵タンク。
【請求項４】
前記袋状部材が、気体を封入又は排気する栓を備えたことを特徴とする請求項２又は３記載の浮屋根式貯蔵タンク。
【請求項５】
前記袋状部材に、圧縮ガスが供給されることを特徴とする請求項４記載の浮屋根式貯蔵タンク。
【請求項６】
複数の前記袋状部材の栓どうしが配管で接続され、前記袋状部材ごとにバルブが設けられたことを特徴とする請求項４又は５記載の浮屋根式貯蔵タンク。
【請求項７】
前記軽量部材を、発泡材としたことを特徴とする請求項２〜６のいずれかに記載の浮屋根式貯蔵タンク。
【請求項８】
前記ポンツーンの内部に複数の前記袋状部材からなる浮きを設け、かつ、前記袋状部材に設けられた前記気体を封入又は排気する栓を、前記ポンツーンの点検口の周囲に配設したことを特徴とする請求項２〜７のいずれかに記載の浮屋根式貯蔵タンク。
【請求項９】
前記浮きが連結されたことを特徴とする請求項１〜８のいずれかに記載の浮屋根式貯蔵タンク。
【発明の詳細な説明】
【技術分野】
【０００１】
本発明は、原油やガソリン、ナフサ等の石油製品の貯蔵に使用される浮屋根式貯蔵タンクに関し、特に、地震等の外力によって浮屋根が部分的に破損した場合であっても、浮屋根の沈下を確実に防止することができる浮屋根式貯蔵タンクに関する。
【背景技術】
【０００２】
一般に、石油等の液体を大量に貯蔵するタンク（貯槽）として、浮屋根式貯蔵タンクが知られている。
浮屋根式貯蔵タンクは、貯槽として屋根のない上部に開口した円筒形状等のタンク本体を備え、このタンク本体に貯蔵される石油等の液面に、浮屋根と呼ばれる薄鋼板を浮かべる構造となっている。
このような浮屋根式貯蔵タンクは、タンク本体の屋根を必要とすることなく石油等を良好な状態で貯蔵，保管でき、ドーム式の屋根付きタンク等と比べて低コストに設置できることから、特に大容量の石油タンク等として広く用いられている。
【０００３】
図５は、従来例にかかる一般的な浮屋根式貯蔵タンクの概略断面図を示している。
また、図６は、従来例にかかる浮屋根式貯蔵タンクの浮屋根における要部の概略拡大断面図を示している。
図５，６に示すように、浮屋根式貯蔵タンク１は、上部が開口した円筒状のタンク本体１１０と、タンク本体１１０に収納，貯蔵された石油等の液面に浮かべられる浮屋根１２０を備えている。
【０００４】
浮屋根１２０は、タンク形状に対応した円板状に形成された薄鋼板等からなり、外周縁に沿って環状に連結された数十個の中空の浮室３０からなるポンツーン３が設けられており、ポンツーン３（浮室３０）の浮力によって石油等の液面に浮かぶようになっている。
すなわち、浮屋根２は、液位の上下につれてともに昇降し、常に液面と浮屋根１２０との間に隙間が生じない構造としてある。その理由は、タンク内の石油等の液面と浮屋根との間に隙間があると、気化した揮発性ガスが滞留することになり爆発等の危険性があるからである。
【０００５】
ポンツーン３は、外リム板３１，内リム板３２，ポンツーン蓋板３３及びポンツーン底板３４からなり、仕切り板３５によって各浮室３０が仕切られている。各浮室３０のポンツーン蓋板３３には、点検等のため作業員が内部に入れるようにマンホール３６が設けられている。
また、ポンツーン３の内側には、コンプレッションリング１２１を介してデッキ１２２が敷設されている。
ポンツーン３の外周縁とタンク本体１の側壁１１１の間には、シール装置４が環状に配設され、タンク内を外部と遮断，気密しており、貯蔵された液体の気化やタンク内への雨水の浸入等が防止されるようになっている。
【０００６】
また、浮屋根１２０は、タンク内で移動，回転等しないように、ポンツーン３を貫通するガイドポール５によって保持されている。ガイドボール５は、タンク本体１１０の側壁１１１に固定された柱状部材であり、ポンツーン３を貫通することにより、浮屋根１２０の回転，移動を防止するようになっている。なお、図示してないが、ガイドポール５が貫通するポンツーン３は、鋼管が設けられており、ガイドポール５に対して軸受として機能するとともに、ポンツーン３の気密性を保持している。
【０００７】
ところで、以上のような浮屋根式貯蔵タンク１のように、大量の液体を収容，貯蔵した各種タンク（槽）では、タンクに加わる外力，起振力に起因して、収容している液体（内部流体）が揺動する、いわゆるスロッシング（液面揺動）の発生することが知られている。
例えば、石油タンクのような大型のタンクでは、地震等の外力によって振幅の大きいスロッシングが引き起こされることがあり、このようなスロッシングが発生すると、タンクが破損したり収容した液体が溢流して、タンク外に石油等が漏洩することがある。
このため、我が国の消防法では、数十ヶ所に区切られたポンツーン３の相隣接する二つの浮室３０及び当該浮室３０以外の部分が破損した場合においても、浮屋根１２０が沈下しないことが要求されている。そして、設計上、相隣接する二つの浮室３０が浮力を失っても、浮屋根１２０全体としては沈下することがないようなポンツーン３の容積や区分が考慮されている。
【０００８】
なお、浮屋根に浮力を追加する技術として、たとえば、デッキに複数の中空管を配設し、補修時に中空管を通して中空弾性袋をデッキ下面に挿入し、次いで、中空弾性袋内にチューブを介して圧縮ガスを供給し膨張させる、下浮屋根式貯蔵タンクのデッキ補修方法の技術がある（特許文献１）。
この技術によれば、比較的大きい貫通部が生じた場合でも、浮屋根式貯蔵タンクの使用を停止することなく、その流出を防止しデッキの貫通部を安全に補修することができる。ただし、上記技術は、浮屋根に浮力を追加して喫水をデッキ下面まで下げることによって、補修ができるようにするものであり、本発明の課題を解決することはできない。
【特許文献１】特開平１０−３１６１９３号公報
【発明の開示】
【発明が解決しようとする課題】
【０００９】
しかしながら、浮屋根式貯蔵タンク１は、たとえば、浮屋根１２０の固有振動数と一致するような長周期地震が発生すると、従来予想されていたレベルより大きなスロッシングによって、ポンツーン３の二以上の浮室３０が破損して、その分の浮力が失われると、浮屋根１２０が沈下する危険性があるといった問題があった。
また、ポンツーン３（浮室３０）の内部に下方から液体が浸入しない場合であっても、浮屋根１２０の傾斜により液体が浮屋根１２０の上部に溢れ出て、この液体がポンツーン３の内部に上方（たとえば、マンホール３６）から浸入し、ポンツーン３が浮力を失う事態も想定されるといった問題があった。
【００１０】
本発明は、上記問題を解決するために提案されたものであり、より大きなスロッシングが発生してポンツーンが破損し内部に液体が浸入しても、浮屋根の浮力を確実に確保し、浮屋根が沈下するといった不具合を防止することができる浮屋根式貯蔵タンクの提供を目的とする。
【課題を解決するための手段】
【００１１】
上記目的を達成するため、本発明の浮屋根式貯蔵タンクは、液体を貯蔵するタンク本体と、このタンク本体に収納され、該タンク本体内に貯蔵された前記液体上に浮上するポンツーンを外周部に有する浮屋根とを備えた浮屋根式貯蔵タンクにおいて、前記ポンツーンの内部及び／又は前記浮屋根の下部に、一又は二以上の浮きを設けた構成としてある。
このようにすると、従来の予測を超えるスロッシング等によりポンツーンが損傷し、二以上の浮室の浮力が失われた場合であっても、浮きの浮力によって、浮屋根が沈下するといった不具合を確実に防止することができる。
【００１２】
また、本発明の浮屋根式貯蔵タンクは、前記浮きを、気体を密封した袋状部材の浮き，空隙を有する軽量部材の浮き，及び／又は，密閉部材により密閉されるとともに、空隙を有する軽量部材の浮きとした構成としてある。
このようにすると、本発明の浮きが、鋼板製の従来のポンツーンとは異なり、地震等の外力が作用しても破損しないので、より大きなスロッシングが発生した状況下にあっても、浮力を発生させることができる。
【００１３】
また、本発明の浮屋根式貯蔵タンクは、前記袋状部材の材料を、ゴム又は樹脂からなる基材と補強材とを有する複合材料とした構成としてある。
このようにすると、ゴム又は樹脂からなる基材の機械的強度を向上させることができ、地震等のより大きな衝撃にも対応することができる。
【００１４】
また、本発明の浮屋根式貯蔵タンクは、前記袋状部材が、気体を封入又は排気する栓を備えた構成としてある。
このようにすると、マンホールを介して、既存のポンツーンに袋状部材を容易に設置することができ、さらに、点検の際には、袋状部材を容易に取り外すことができる。
【００１５】
また、本発明の浮屋根式貯蔵タンクは、前記袋状部材に、圧縮ガスが供給される構成としてある。
このようにすると、袋状部材に気体を容易に供給することができ、作業性を向上させることができる。
【００１６】
また、本発明の浮屋根式貯蔵タンクは、複数の前記袋状部材の栓どうしが配管で接続され、前記袋状部材ごとにバルブが設けられた構成としてある。
このようにすると、バルブの開かれた配管を介して、複数の袋状部材に効率よく気体を封入又は排気することができる。また、複数の袋状部材に気体を封入してからバルブを閉めると、袋状部材ごとに気体が密封されるので、仮に一つの浮きが破損して浮力を失っても、残りの浮きは浮力を維持することができる。
【００１７】
また、本発明の浮屋根式貯蔵タンクは、前記軽量部材を、発泡材とした構成としてある。
このようにすると、発泡材に内包された細かな空隙によって浮力が発生するので、浮きとしての信頼性を向上させることができる。
【００１８】
また、本発明の浮屋根式貯蔵タンクは、前記ポンツーンの内部に複数の前記袋状部材からなる浮きを設け、かつ、前記袋状部材に設けられた前記気体を封入又は排気する栓を、前記ポンツーンの点検口の周囲に配設した構成としてある。
このようにすると、各浮室に複数の浮きが設置されることとなり、浮きが小型化されるので、補強リブなどの障害物を回避でき搬送効率や作業性を向上させるとともに、浮力を分散でき安全性を向上させることができる。また、袋状部材の栓を点検口（マンホール）の周囲に配設することにより、袋状部材をポンツーン内に容易に設置することができ、作業性をさらに向上させることができる。
【００１９】
また、本発明の浮屋根式貯蔵タンクは、前記浮きが連結された構成としてある。
このようにすると、浮屋根に大きなスロッシングが発生した場合であっても、浮きの設置安定性を向上させることができる。
【発明の効果】
【００２０】
以上のように、本発明の浮屋根式貯蔵タンクによれば、スロッシング等によりポンツーンが損傷し、二以上の浮室の浮力が失われた場合であっても、鋼板製のポンツーンとは異なり、地震等の外力が作用しても破損しない浮きの浮力によって、浮屋根が沈下するといった不具合を確実に防止することができる。
従って、地震等の災害に対する浮屋根式貯蔵タンクの安全性を向上させることができる。
【発明を実施するための最良の形態】
【００２１】
以下、本発明に係る浮屋根式貯蔵タンクの好ましい実施形態について、図面を参照しつつ説明する。
【００２２】
［第一実施形態］
まず、図１を参照して、気体を密封した袋状部材からなる浮きを、ポンツーンの内部に配設した浮屋根式貯蔵タンクについて説明する。
図１は、本発明の第一実施形態に係る浮屋根式貯蔵タンクの浮屋根の概略断面図を示している。
同図において、浮屋根式貯蔵タンク（図示せず）は、大量の石油を保管，貯蔵する浮屋根式貯蔵タンクとなっており、ポンツーン３の各浮室３０の内部に浮き６を備える点を除いては、従来からの一般的な浮屋根式貯蔵タンク１とほぼ同様の構成となっている（図６参照）。
したがって、図１において、図６と同様の構成部分については同一の符号を付して、その詳細な説明を省略する。
【００２３】
具体的には、図１に示す浮屋根式貯蔵タンクは、各浮室３０に気体６１を密封した袋状部材６２からなる浮き６を備えている。
浮き６は、気体６１が封入された状態で、ポンツーン３の各浮室３０の内部形状にほぼ対応する形状の気密性を有する袋であり、マンホール３６の下部に、気体６１を封入又は排気する栓６３を備えた構造としてある。
【００２４】
ここで、浮き６は、栓６３を備えているので、排気されてしぼんだ状態の袋状部材６２を、マンホール３６から既存のポンツーン３に搬入することができ、栓６３を介して気体６１を封入することにより、浮き６を容易に設置することができる。また、ポンツーン３を点検する際などには、栓６３を介して密閉していた気体６１を排気して、しぼんだ袋状部材６２を容易にポンツーン３から搬出することができる。
すなわち、浮き６は、既存のポンツーン３に容易に取り付けることができるので、浮屋根式貯蔵タンク１に対する改造費用等が発生せず、極めて経済性に優れている。また、稼動中の浮屋根式貯蔵タンク１に取り付けることができるので、たとえば、貯蔵している液体を抜き取るといった作業も発生せず、容易かつ短期間で取り付けることができる。
【００２５】
また、浮き６を浮室３０の内部に設置するとき、排気された袋状部材６２をポンツーン底板３４に敷いてから、気体６１を徐々に封入させるとよく、このようにすると、マンホール３６から袋状部材６２の膨れ状態を目視確認することができるので、設置作業の信頼性を大幅に向上させることができる。
【００２６】
また、好ましくは、袋状部材６２に気体６１を封入する際、圧縮ガスを供給するとよく、このようにすると、袋状部材６２に気体６１を容易に供給することができ、作業性を向上させることができる。なお、圧縮ガスを用いるのは、大きな袋状部材６２に気体６１を封入する際、作業性を向上させることが主目的であり、封入される気体６１は、ほぼ大気圧と同じ圧力で密閉される。
なお、封入される気体６１は、防爆等の安全性を考慮して、窒素ガス等の不活性ガスを使用することができるが、封入あるいは排気時に、作業者の酸欠を防止する観点から空気を使用することもできる。
【００２７】
通常、袋状部材６２の素材は、浮屋根式貯蔵タンク１のシール材としても使用される、補強布入りゴムシートが用いられる。ゴムの材質は、耐油性及び耐磨耗性を考慮して、ＮＢＲ（アクリロニトリルブタジエンゴム）等が使用される。このように、耐油性及び耐磨耗性に優れた材料を使用することにより、浮き６に対するメンテナンスフリーを実現することができる。また、浮屋根式貯蔵タンク１に貯留される液体が石油等の可燃性物質である場合、ＮＢＲのように金属との衝突や摺動により火花が出ない材料を使用することは、浮屋根式貯蔵タンク１の安全性上極めて重要である。さらに、袋状部材６２が可撓性を有することにより、浮室３０の変形に追従することができ、浮室３０はスロッシングにより変形した場合でも、袋状部材６２が破れない限り、浮き６としての浮力を発生させることができる。
【００２８】
また、補強材としてグラスファイバ等からなる補強布を用いることにより、ゴムからなる基材の機械的強度を向上させることができ、地震等のより大きな衝撃にも対応することができる。
なお、袋状部材６２は、上記材料に限定されるものではなく、金属との衝突・摺動による不着火性，機械的強度，可撓性，耐油性及び耐磨耗性を満足する材料であればよく、たとえば、ゴムの代わりにナイロン等の樹脂を使用してもよい。
【００２９】
浮き６は、ポンツーン３の浮室３０の内部に設置されるので、ポンツーン３が損傷していない正常状態においては、石油（液体）と接触しないので、石油と長期間接触することにより発生する劣化が生じないので、耐久性を向上させることができる。
さらに、ポンツーン３が損傷していない正常状態においては、袋状部材６２にほぼ大気圧が作用するだけであり、液体からの外圧及び浮屋根３の重量が作用しないので、機械的強度の経時低下の観点から耐久性に優れている。また、設計段階において、機械的強度の経時低下量が低減されるので、袋状部材６２の厚さを薄くでき、製造原価のコストダウンを図ることができる。
【００３０】
このように、本実施形態にかかる浮屋根式貯蔵タンクによれば、たとえば、浮屋根１２０の固有振動数と一致するような長周期地震が発生して、大きなスロッシングによってポンツーン３の浮室３０が破損し、ポンツーン３（浮室３０）の内部に下方から液体が浸入して浮室３０による浮力が失われると、失われた浮力とほぼ同じ浮力を浮き６が発生させるので、浮屋根１２０が沈下するといった不具合を確実に防止することができる。また、浮屋根１２０の傾斜により液体が浮屋根１２０の上部に溢れ出て、この液体がポンツーン３の内部に上方（たとえば、マンホール３６）から浸入し、ポンツーン３が浮力を失う事態も想定されるが、浮室３０に浮き６が存在することにより、ポンツーン３（浮室３０）の内部にほとんど液体が浸入できないので、浮室３０の浮力が失われるといった不具合を防止することができる。
【００３１】
また、浮き６を浮室３０の内部に搬入・搬出自在に設けることにより、既存の浮屋根式貯蔵タンク１に対して改造工事等を行わなくても、迅速かつ容易に浮き６を設置することができるので、経済的に極めて有効である。
また、巨大構造物である浮屋根式貯蔵タンクは、設計段階において、機械的強度や耐震性について詳細に検討されており、浮き６を浮室３０に設けることは、上記検討結果をそのまま有効に利用することができるので、既存の浮屋根式貯蔵タンク１に浮き６を設けることによる新たな不具合、たとえば、浮力を追加するための付加物による油貯蔵量の低下や、浮屋根１２０の振動モードが変化するといった不具合を回避することができる。
【００３２】
（第一応用例）
なお、本実施形態では、各浮室３０に一つの浮き６を設置する構成としているが、この構成に限定されるものではない。
図２は、本発明の第一応用例に係る浮屋根式貯蔵タンクの浮屋根の概略断面図を示している。
同図において、浮屋根式貯蔵タンク（図示せず）は、第一実施形態と比較して、各浮室３０に浮き６ａ，６ｂを設けた点が相違する。他の構成要素は第一実施形態とほぼ同様としてある。
したがって、図２において、図１と同様の構成部分については同一の符号を付して、その詳細な説明を省略する。
【００３３】
浮き６ａは、気体６１が封入された状態で、ポンツーン３の各浮室３０における、マンホール３６より外側の内部形状にほぼ対応する形状の気密性を有する袋であり、マンホール３６の下部に、気体６１を封入又は排気する栓６３ａを備えた構造としてある。また、浮き６ｂは、気体６１が封入された状態で、ポンツーン３の各浮室３０における、マンホール３６より内側の内部形状にほぼ対応する形状の気密性を有する袋であり、マンホール３６の下部に、気体６１を封入又は排気する栓６３ｂを備えた構造としてある。
【００３４】
このように、ポンツーン３の各浮室３０の内部に複数の浮き６ａ，６ｂを設けることにより、浮き６ａ，６ｂが小型化されるので、搬入・搬出する際の搬送効率や気体６１を封入・排気する際の作業性を向上させることができる。また、いずれか一方の浮き６ａ（６ｂ）が破損した場合、もう一方の浮き６ｂ（６ａ）が浮力を発生させることができるので、かかる場合であっても、二つの浮き６ａ，６ｂが発生させる浮力のほぼ半分の浮力を発生させることができる。すなわち、浮力を分散して発生させることにより、安全性を向上させることができる。
さらに、気体６１を封入又は排気する栓６３ａ，６３ｂを、マンホール３６の周囲に配設することにより、浮き６ａ，６ｂを浮室３０の内部に容易に設置することができ、また、取り外すことができるので、作業性をさらに向上させることができる。
【００３５】
（第二応用例）
図３は、本発明の第二応用例に係る浮屋根式貯蔵タンクの浮屋根の概略断面図を示している。
同図において、浮屋根式貯蔵タンク（図示せず）は、第一実施形態と比較して、各浮室３０に浮き６ｃ，６ｄ，６ｅを設け、浮き６ｃ，６ｄ，６ｅをチューブ６７で接続し、浮き６ｃ，６ｄ，６ｅごとにバルブ６４を設けた点が相違する。他の構成要素は第一実施形態とほぼ同様としてある。
したがって、図３において、図１と同様の構成部分については同一の符号を付して、その詳細な説明を省略する。
【００３６】
浮き６ｃ，６ｅは、栓として継手６５ａが設けられ、浮き６ｄは、栓として継手６５ｂが設けられている。また、各継手６５ａは、継手６５ｂとチューブ６７及びバルブ６４を介して接続され、さらに、継手６５ｂは、バルブ６４及びキャップ６６が接続されている。このようにすると、全てのバルブ６４を開いて、複数の浮き６ｃ，６ｄ，６ｅに効率よく気体を封入又は排気することができ、また、複数の浮き６ｃ，６ｄ，６ｅに気体６１を封入してから全てのバルブ６４を閉めると、各浮き６ｃ，６ｄ，６ｅごとに気体６１が密封されるので、仮に一つの浮き６が破損して浮力を失っても、残りの浮き６は浮力を維持することができる。
【００３７】
なお、浮室３０に設置される複数の浮き６ａ，６ｂ，６ｃ，６ｄ，６ｅは、上記構成に限定されるものではなく、たとえば、四つ以上の浮きを設けてもよい。また、その浮きの形状は、浮屋根１２０を円とした際の半径方向の分割に限定されるものではなく、たとえば、周方向に分割したり、上下方向に分割したりしてもよい。さらに、浮き６ａ，６ｂ，６ｃ，６ｄ，６ｅは、気体６１を密封した袋状部材からなる浮きとしてあるが、たとえば、浮室３０の角部や溶接部等に対して、空隙を有する軽量部材からなる浮きや、密閉部材により密閉されるとともに、空隙を有する軽量部材からなる浮き（図示せず）を、浮き６ａ，６ｂ，６ｃ，６ｄ，６ｅと併用して設ける構成としてもよい。
また、複数の浮き６ａ，６ｂ，６ｃ，６ｄ，６ｅの袋状部材は、可撓性を有しているので、浮きどうし６ａ，６ｂ，６ｃ，６ｄ，６ｅを特殊な連結部材やガイドを用いて連結しなくても、所定の位置に移動し浮力を発生させることができる。
【００３８】
［第二実施形態］
次に、図４を参照して、軽量部材として発泡樹脂が密閉された密閉部材からなる浮きを、ポンツーンの下面に配設した浮屋根式貯蔵タンクについて説明する。
図４は、本発明の第二実施形態に係る浮屋根式貯蔵タンクの浮屋根の概略断面図を示している。
同図において、浮屋根式貯蔵タンク（図示せず）は、第一実施形態と比較して、ポンツーン３の内部に設けられた浮き６の代わりに、ポンツーン３の下面に、軽量部材７１が密閉された密閉部材７２からなる浮きを設けた点を除いては、第一実施形態の浮屋根式貯蔵タンクとほぼ同様の構成となっている。
したがって、図４において、図１と同様の構成部分については同一の符号を付して、その詳細な説明を省略する。
【００３９】
具体的には、図４に示す浮屋根１２０ｃのポンツーン３ｃは、外リム板３１ｃ，内リム板３２ｃ，ポンツーン蓋板３３ｃ及びポンツーン底板３４ｃからなり、仕切り板３５ｃによって各浮室３０ｃが仕切られている。
また、ポンツーン底板３４ｃは、デッキ１２２とほぼ同じ平面上に設けられており、さらに、各浮室３０ｃのポンツーン底板３４ｃの下面には、浮き７を収納する鋼板製のガイド板３７がほぼ矩形環状に突設してある。
なお、図示してないが、ガイド板３７に、液体を浮屋根式貯蔵タンクから抜いた際、浮き７が落下しないように、チェーンや押え板を設けるとよい。
【００４０】
浮き７は、軽量部材７１と、この軽量部材７１が密閉された密閉部材７２とからなっている。
軽量部材７１は、発泡スチロール，発泡ウレタン，発泡ポリウレタン等の発泡材が使用され、本実施形態では、たとえば、建築用の断熱材として市販されている矩形平板状の発泡材が使用されている。このように、発泡材を使用することにより、図示してないが、発泡材に内包された細かな空隙によって浮力が発生するので、浮きとしての信頼性を向上させることができる。なお、軽量部材７１は、上記発泡材に限定されるものではなく、外部から隔離された空隙を有することにより軽量化された部材であればよく、たとえば、発泡アルミ等を挙げることができる。
なお、本実施形態の浮き７は、上記発泡材からなる軽量部材７１を密閉部材７２で密閉した状態で使用しているが、軽量部材７１の機械的強度，耐油性，耐久性等が、浮屋根式貯蔵タンクの仕様を満足する場合、軽量部材７１を直接液体と接触させる浮きとして使用してもよい。
【００４１】
密閉部材７２は、ゴム又は樹脂を基材とするシート状又は袋状の部材であり、密閉部材７２と軽量部材７１の間に空気が存在しないように、脱気又は不活性ガスを充填した状態で、軽量部材７１を密閉する。
密閉部材７２の素材は、上述した補強布入りゴムシートが用いられる。このようにすると、浮屋根式貯蔵タンク１に貯留される液体が石油等の可燃性物質である場合、ＮＢＲのように金属との衝突や摺動により火花が出ないので、安全性を向上させることができる。
【００４２】
また、浮き７は、浮き６と比較すると、軽量部材７１自体が浮力を発生させるので、密閉部材７２の厚さを袋状部材６２の厚さより若干薄くすることができる。
また、図示してないが、浮き７を複数連結する場合、密閉部材７２に、たとえば、連結用のロープ等を貫通させる連結孔を設けるとよく、このようにすると、複数の浮き７を容易に連結することができる。
なお、複数の軽量部材７１を集合させる目的で、密閉部材７２を使用する場合には、密閉部材７２の気密性は必要とされない。
【００４３】
このように、本実施形態にかかる浮屋根式貯蔵タンクによれば、たとえば、浮屋根１２０の固有振動数と一致するような長周期地震が発生し、大きなスロッシングによって、浮室３０ｃによる浮力が失われても、失われた浮力を浮き７が補足的に発生させているので、浮屋根１２０が沈下するといった不具合を防止することができる。
【００４４】
以上、本発明の浮屋根式貯蔵タンクについて、好ましい実施形態を示して説明したが、本発明に係る浮屋根式貯蔵タンクは、上述した実施形態にのみ限定されるものではなく、本発明の範囲で種々の変更実施が可能であることは言うまでもない。
例えば、第二実施形態では、浮き７をポンツーン３ｃの下面に配設する構成としてあるが、デッキ１２２の下面に配設したり、あるいは、ポンツーン３ｃとデッキ１２２の双方の下面に浮き７を配設する構成としてもよい。
【産業上の利用可能性】
【００４５】
以上説明したように、本発明の浮屋根式貯蔵タンクは、地震等の外力によってポンツーンの浮力が失われた場合に、各種の浮きを設けて浮屋根が沈下することを防止する技術としてあるが、浮屋根をより安全に液面に浮かせることを可能とした浮屋根式貯蔵タンクとして好適に利用することができる。
【図面の簡単な説明】
【００４６】
【図１】本発明の第一実施形態に係る浮屋根式貯蔵タンクの浮屋根の概略断面図を示している。
【図２】本発明の第一応用例に係る浮屋根式貯蔵タンクの浮屋根の概略断面図を示している。
【図３】本発明の第二応用例に係る浮屋根式貯蔵タンクの浮屋根の概略断面図を示している。
【図４】本発明の第二実施形態に係る浮屋根式貯蔵タンクの浮屋根の概略断面図を示している。
【図５】従来例にかかる一般的な浮屋根式貯蔵タンクの概略断面図を示している。
【図６】従来例にかかる浮屋根式貯蔵タンクの浮屋根における要部の概略拡大断面図を示している。
【符号の説明】
【００４７】
１  浮屋根式貯蔵タンク
３，３ｃ  ポンツーン
４  シール装置
５  ガイドポール
６，６ａ，６ｂ，６ｃ，６ｄ，６ｅ  浮き
７  浮き
３０，３０ｃ  浮室
３１，３１ｃ  外リム板
３２，３２ｃ  内リム板
３３，３３ｃ  ポンツーン蓋板
３４，３４ｃ  ポンツーン底板
３５，３５ｃ  仕切り板
３６  マンホール
３７  ガイド板
６１  気体
６２  袋状部材
６３，６３ａ，６３ｂ  栓
６４  バルブ
６５ａ，６５ｂ  継手
６６  キャップ
６７  チューブ
１１０  タンク本体
１１１  側壁
１２０，１２０ｃ  浮屋根
１２１  コンプレッションリング
１２２  デッキ
【図１】
2006143291.tif 000003
【図２】
2006143291.tif 000004
【図３】
2006143291.tif 000005
【図４】
2006143291.tif 000006
【図５】
2006143291.tif 000007
【図６】
2006143291.tif 000008